(57)【特許請求の範囲】
【請求項１】
ラックシステムであって、
少なくとも１つの第１のポスト及び少なくとも１つの第２のポストを含むラックと、
前記ラックの少なくとも１つの第１のポストに取り付けられる第１のスライドレールアセンブリと、
前記ラックの少なくとも１つの第２のポストに取り付けられる第２のスライドレールアセンブリと、
上部及び下部を含むシャーシであって、該上部は上部幅を有し、該下部は該上部幅よりも小さい下部幅を有し、前記下部は第１の側及び第２の側を有し、前記下部の第１の側は前記第１のスライドレールアセンブリと係合し、前記下部の第２の側は前記第２のスライドレールアセンブリと係合する、シャーシと、
を含み、
前記シャーシの下部の第１の側及び第２の側のそれぞれに少なくとも１つの取り付け要素が設けられ、前記第１のスライドレールアセンブリ及び前記第２のスライドレールアセンブリのそれぞれは支持レールを含み、該支持レールは前記少なくとも１つの取り付け要素のための取り付け部を含み、該取り付け部は、端部に設けられた入口と、該入口に隣接する傾斜したガイド部と、閉鎖部分と、該ガイド部と該閉鎖部分との間に位置する係合通路とを含む、ラックシステム。
【請求項２】
前記ラックは一対の第１のポスト及び一対の第２のポストを含み、前記第１のスライドレールアセンブリは該一対の第１のポストの間に取り付けられ、前記第２のスライドレールアセンブリは該一対の第２のポストの間に取り付けられる、請求項１に記載のラックシステム。
【請求項３】
前記支持レールの取り付け部は上側遮断壁部及び下側遮断壁部をさらに含み、前記係合通路は該上側遮断壁部、該下側遮断壁部及び前記閉鎖部分によって定義される、請求項１に記載のラックシステム。
【請求項４】
前記第１のスライドレールアセンブリ及び前記第２のスライドレールアセンブリのそれぞれは第１のレールと、該第１のレールに取り付けられる第２のレールとを含み、前記支持レールは前記第１のレールに取り付けられ、前記第１のレール及び前記第２のレールは第１のブラケット及び第２のブラケットをそれぞれ備え、前記第１のスライドレールアセンブリ及び前記第２のスライドレールアセンブリのそれぞれは、対応する第１のブラケット及び対応する第２のブラケットによって前記ラックに取り付けられる、請求項１に記載のラックシステム。
【請求項５】
上部及び下部を含むシャーシであって、該上部は上部幅を有し、該下部は該上部幅よりも小さい下部幅を有し、該下部の一方側には少なくとも１つの取り付け要素が設けられている、シャーシを保持するように構成されたスライドレールアセンブリであって、
第１のレールと、
前記第１のレールに取り付けられる支持レールであって、該支持レールは支持部と、該支持部から曲げられた取り付け部とを含み、該支持部は前記シャーシの上部を支持するように構成され、前記取り付け部は、端部に設けられた入口と、該入口に隣接する傾斜したガイド部と、閉鎖部分と、前記シャーシの下部の前記一方側に設けられた少なくとも１つの取り付け要素を収容するための、該ガイド部と該閉鎖部分との間に位置する係合通路とを含む、支持レールと、
を含むスライドレールアセンブリ。
【請求項６】
スライドレールアセンブリであって、
上壁部と、下壁部と、該上壁部及び該下壁部の間に連結された長手壁部とを含む第１のレールと、
前記第１のレールに取り付けられる支持レールであって、該支持レールは連結部、延在部、支持部及び取り付け部を含み、該連結部は前記第１のレールの長手壁部に連結され、該延在部は第１の部分と第２の部分とを有し、該第１の部分は前記連結部に連結されるとともに前記第１のレールの長手壁部から離れており、該第２の部分は前記第１の部分と前記支持部との間に連結され、前記支持レールの支持部の少なくとも一部は前記第１のレールの上壁部に当接し、前記取り付け部は前記支持部から曲げられているとともに前記延在部に連結し、端部に設けられた入口と、該入口に隣接する傾斜したガイド部と、閉鎖部分と、該ガイド部と該閉鎖部分との間に位置する係合通路とを含む、支持レールと、
を含むスライドレールアセンブリ。
【請求項７】
第２のレールと、第１のブラケットと、第２のブラケットとをさらに含み、該第１のブラケットは前記第１のレールに連結されるとともに前記第１のレールの第１の端部に隣接し、該第２のブラケットは前記第２のレールに取り付けられるとともに前記第２のレールの第２の端部に隣接し、前記第１のレールの上側壁部、下壁部及び長手壁部によって通路が定義され、前記第２のレールの少なくとも一部が前記第１のレールの通路内に配置されている、請求項６に記載のスライドレールアセンブリ。
【請求項８】
前記第１のレールは前記上壁部から曲げられた第１の屈曲壁部をさらに含み、前記支持レールは前記支持部から曲げられた屈曲部をさらに含み、前記支持レールの屈曲部は前記第１のレールの第１の屈曲壁部に当接するように構成されている、請求項６に記載のスライドレールアセンブリ。
【発明の詳細な説明】
【技術分野】
【０００１】
本発明はスライドレールアセンブリに関し、より具体的にはラックシステムのためのスライドレールアセンブリに関する。
【背景技術】
【０００２】
ネットワーク通信業界においては、スタッフが多数の電子機器又は情報機器を容易に維持又は管理することができるようにするために、それらの電子機器又は情報機器がキャビネット又はラックに設置される。キャビネット又はラックは、それらの電子機器又は情報機器を保持する（carry）ためのスライドレールアセンブリと共に設けられる複数のポストを含むことが一般的である。例えば、特許文献１にはラックに取り付け可能な装置が開示されている。具体的には、特許文献１には一対のスライドアセンブリ（２０、２２）によってラック（１０）のフレーム（１８）に取り付け可能な装置（１２）が主に開示されている。特許文献１の一実施形態によれば、装置（１００）は前方部（１０４）と後方部（１０６）とを有するシャーシ（１０２）を含む。前方部（１０４）は前方部幅を有し、後方部（１０６）は前方部幅よりも小さい後方部幅を有し、一対のスライドアセンブリ（２０、２２）はシャーシ（１０２）の後方部（１０６）の２つの側に取り付けられている。一対のスライドアセンブリ（２０、２２）がシャーシ（１０２）の後方部（１０６）の２つの側に取り付けられている場合、後方部（１０６）の幅と一対のスライドアセンブリ（２０、２２）の幅との合計は前方部幅と実質的に同じになる。しかしながら、装置によって形が異なり得るため、特定形状の装置をスライドアセンブリによって保持することはネットワーク通信業界における重要なテーマである。
【先行技術文献】
【特許文献】
【０００３】
【特許文献１】米国特許第９１３１６２４号明細書
【発明の概要】
【課題を解決するための手段】
【０００４】
本発明はラックシステムのためのスライドレールアセンブリに関する。
【０００５】
本発明の一実施形態によれば、ラックシステムはラックと、第１のスライドレールアセンブリと、第２のスライドレールアセンブリと、シャーシとを含む。ラックは少なくとも１つの第１のポスト及び少なくとも１つの第２のポストを含む。第１のスライドレールアセンブリはラックの少なくとも１つの第１のポストに取り付けられる。第２のスライドレールアセンブリはラックの少なくとも１つの第２のポストに取り付けられる。シャーシは上部及び下部を含む。上部は上部幅を有し、下部は該上部幅よりも小さい下部幅を有する。下部は第１の側及び第２の側を有する。下部の第１の側は第１のスライドレールアセンブリと係合し、下部の第２の側は第２のスライドレールアセンブリと係合する。
【０００６】
上記の実施形態によれば、ラックは一対の第１のポスト及び一対の第２のポストを含む。第１のスライドレールアセンブリは一対の第１のポストの間に取り付けられ、第２のスライドレールアセンブリは一対の第２のポストの間に取り付けられる。
【０００７】
シャーシの下部の第１の側及び第２の側のそれぞれに少なくとも１つの取り付け要素が設けられていることが好ましい。第１のスライドレールアセンブリ及び第２のスライドレールアセンブリのそれぞれは支持レールを含む。支持レールは取り付け部を含み、該取り付け部には少なくとも１つの取り付け要素を収容するために係合通路（engagement  path）が形成されている。
【０００８】
支持レールの取り付け部は入口と閉鎖部分とを含むことが好ましい。係合通路は入口と閉鎖部分との間に位置している。
【０００９】
支持レールの取り付け部は上側遮断壁部（upper  blocking  wall）及び下側遮断壁部（lower  blocking  wall）をさらに含むことが好ましい。係合通路は上側遮断壁部、下側遮断壁部及び閉鎖部分によって定義される。
【００１０】
第１のスライドレールアセンブリ及び第２のスライドレールアセンブリのそれぞれは第１のレールと、該第１のレールに取り付けられる第２のレールとを含むことが好ましい。支持レールは第１のレールに取り付けられる。第１のレール及び第２のレールは第１のブラケット及び第２のブラケットをそれぞれ備える。第１のスライドレールアセンブリ及び第２のスライドレールアセンブリのそれぞれは、対応する第１のブラケット及び対応する第２のブラケットによってラックに取り付けられる。
【００１１】
本発明の別の実施形態によれば、スライドレールアセンブリはシャーシを保持するように構成されている。シャーシは上部及び下部を含む。上部は上部幅を有し、下部は該上部幅よりも小さい下部幅を有する。下部の一方側には少なくとも１つの取り付け要素が設けられている。スライドレールアセンブリは第１のレールと、第１のレールに取り付けられる支持レールとを含む。支持レールは支持部と、支持部から曲げられた取り付け部とを含む。支持部はシャーシの上部を支持するように構成されている。取り付け部には、シャーシの下部の一方側に設けられた少なくとも１つの取り付け要素を収容するために係合通路が形成されている。
【００１２】
本発明の別の実施形態によれば、スライドレールアセンブリは第１のレールと支持レールとを含む。第１のレールは上壁部と、下壁部と、該上壁部及び該下壁部の間に連結された長手壁部（longitudinal  wall）とを含む。支持レールは第１のレールに取り付けられる。支持レールは連結部、延在部、支持部及び取り付け部を含む。連結部は第１のレールの長手壁部に連結される。延在部は第１の部分と第２の部分とを有する。第１の部分は連結部に連結されるとともに第１のレールの長手壁部から離れている。第２の部分は第１の部分と支持部との間に連結されている。支持レールの支持部の少なくとも一部は第１のレールの上壁部に当接する。取り付け部は支持部から曲げられているとともに延在部に連結している。
【００１３】
上記の実施形態によれば、スライドレールアセンブリは第２のレールと、第１のブラケットと、第２のブラケットとをさらに含む。第１のブラケットは第１のレールに連結されるとともに第１のレールの第１の端部に隣接する。第２のブラケットは第２のレールに取り付けられるとともに第２のレールの第２の端部に隣接する。第１のレールの上壁部、下壁部及び長手壁部によって通路が定義される。第２のレールの少なくとも一部が第１のレールの通路内に配置されている。
【００１４】
上記の実施形態によれば、第１のレールは上壁部から曲げられた第１の屈曲壁部をさらに含む。支持レールは支持部から曲げられた屈曲部をさらに含む。支持レールの屈曲部は第１のレールの第１の屈曲壁部に当接するように構成されている。
【００１５】
様々な図面に図示する下記の好ましい実施形態の詳細な説明を読み終えた後、本発明の上記の目的及び他の目的が当業者に間違いなく明らかになる。
【図面の簡単な説明】
【００１６】
【図１】図１は、本発明の一実施形態に係るラックシステムを示す図である。
【図２】図２は、本発明の一実施形態に係るシャーシ及びスライドレールアセンブリの分解図である。
【図３】図３は、本発明の一実施形態に係るスライドレールアセンブリの部分図である。
【図４】図４は、本発明の一実施形態に係るスライドレールアセンブリの分解図である。
【図５】図５は、本発明の一実施形態に係る、シャーシを保持するスライドレールアセンブリの部分図である。
【発明を実施するための形態】
【００１７】
図１に示すように、本発明のラックシステム１０はラック１２と、第１のスライドレールアセンブリ１４と、第２のスライドレールアセンブリ１６と、シャーシ１８とを含む。ラック１２は一対の第１のポスト２０ａ及び一対の第２のポスト２０ｂを含む（図１の視角により、図１では１つの第２のポスト２０ｂのみを図示する）。第１のスライドレールアセンブリ１４は一対の第１のポスト２０ａの間に取り付けられている。第２のスライドレールアセンブリ１６は一対の第２のポスト２０ｂの間に取り付けられている。シャーシ１８は第１のスライドレールアセンブリ１４及び第２のスライドレールアセンブリ１６によってラック１２に取り付けられている。
【００１８】
図１及び図２に示すように、第１のスライドレールアセンブリ１４及び第２のスライドレールアセンブリ１６の構造配置は実質的に同じである。そのため、第２のスライドレールアセンブリ１６を一例として説明する。第２のスライドレールアセンブリ１６は、ラック１２の一対の第２のポスト２０ｂにそれぞれ取り付けられた第１のブラケット２２及び第２のブラケット２４を含む。シャーシ１８はＴ字状である。シャーシ１８は上部２６及び下部２８を含む。上部２６は上部幅Ｗ１を有し、下部は下部幅Ｗ２を有する。下部幅Ｗ２は上部幅Ｗ１よりも小さい。下部２８は上部２６に対して実質的に垂直であることが好ましい。シャーシ１８の下部２８は第１の側３０ａ及び第２の側３０ｂを有する。第１の側３０ａ及び第２の側３０ｂのそれぞれに少なくとも１つの取り付け要素３２を設けることができる。第１の側３０ａは第１のスライドレールアセンブリ１４と係合し、第２の側３０ｂは第２のスライドレールアセンブリ１６と係合する。例えば、シャーシ１８の下部２８の第２の側３０ｂでは、第２の側３０ｂにある少なくとも１つの取り付け要素３２は第２のスライドレールアセンブリ１６の支持レール３４に取り付けられるスタッド又は突起であり得る。
【００１９】
図２及び図３に示すように、支持レール３４は支持部３６及び取り付け部３８を含む。支持レール３４の取り付け部３８は支持部３６から曲げられていることが好ましい。この実施形態では、取り付け部３８は支持部３６に対して実質的に垂直に連結されているとともに、取り付け部３８は支持レール３４の端部に隣接している。より具体的には、支持レール３４の取り付け部３８は入口４０及び閉鎖部分４２を含む。係合通路４４が入口４０及び閉鎖部分４２の間に形成されて位置している。取り付け部３８は上側遮断壁部４６及び下側遮断壁部４８をさらに含む。係合通路４４は上側遮断壁部４６、下側遮断壁部４８及び閉鎖部分４２によって定義される。支持レール３４の取り付け部３８は入口４０に隣接する傾斜面等のガイド部５０をさらに含むことが好ましい。シャーシ１８の下部２８にある少なくとも１つの取り付け要素３２はガイド部５０よってガイドされて係合通路４４に入ることができる。即ち、係合通路４４は、シャーシ１８の下部２８にある少なくとも１つの取り付け要素３２を収容するように構成されている。
【００２０】
図４に示すように、第２のスライドレールアセンブリ１６は第１のレール５２及び第２のレール５４をさらに含む。第１のブラケット２２は第１のレール５２に連結されている。第２のブラケット２４は第２のレール５４に連結されている。第１のブラケット２２が第１のレール５２に連結されているか又は第１のレール５２に直接形成され、第１のレール５２の第１の端部５６（前端等）に隣接していることが好ましい。第２のブラケット２４は第２のレール５４に連結されているか又は第２のレール５４に直接形成され、第２のレール５４の第２の端部５８（後端等）に隣接している。第１のレール５２は通路６０を有する。第２のレール５４が第１のレール５２に対して通路６０に沿って動くことができるように第２のレールの少なくとも一部が第１のレール５２の通路６０内に配置されている。即ち、第２のブラケット２４と第１のブラケット２２との間の相対距離は、ラック１２の２つのポストの間の様々な距離に応じて調節できる。第１のレール５２は第１の制限機構６２を有し、第２のレール５４は、第１の制限機構６２に対応する位置に配置された第２の制限機構６４を有することが好ましい。第２の制限機構６４は弾性アーム６５を有する。第２の制限機構６４は弾性アーム６５の支援により第１の制限機構６２を越える（cross）ことができる。第１の制限機構６２及び第２の制限機構６４の配置により、第２のレール５４を第１のレール５２に対して限られた範囲内で動かすことができる。支持レール３４は第１のレール５２に取り付けられている。この実施形態では、支持レール３４は、リベット留め、溶接、ネジ留め又は係合により第１のレール５２に連結可能な連結部６６を有する。
【００２１】
図５に示すように、第１のレール５２は上壁部６８と、下壁部７０と、上壁部６８及び下壁部７０の間に連結された長手壁部７２とを含む。第１のレール５２は、上壁部６８から下方に曲げられた第１の屈曲壁部７４と、下壁部７０から上方に曲げられた第２の屈曲壁部７６とをさらに含むことが好ましい。通路６０は上壁部６８、下壁部７０、長手壁部７２、第１の屈曲壁部７４及び第２の屈曲壁部７６によって定義されている。第２のレール５４の少なくとも一部は第１のレール５２の通路６０内に配置されている。支持レール３４は延在部７７をさらに含む。具体的には、支持レール３４の連結部６６は第１のレール５２の長手壁部７２の後ろ側７８（通路６０とは異なる側）に連結されている。延在部７７は第１の部分７９ａ及び第２の部分７９ｂを有する。第１の部分７９ａは連結部６６に連結されて、長手壁部７２から離れている。第２の部分７９ｂは第１の部分７９ａ及び支持部３６の間に連結されている。支持レール３４の支持部３６の少なくとも一部は第１のレール５２の上壁部６８に当接する。取り付け部３８は支持部３６から曲げられ、延在部７７の第２の部分７９ｂに連結されている。支持レール３４は支持部３６から曲げられた屈曲部８２をさらに含むことが好ましい。屈曲部８２は第１のレール５２の第１の屈曲壁部７４に当接するように構成されている。
【００２２】
シャーシ１８を支持レール３４に取り付ける場合、支持レール３４の支持部３６は、シャーシ１８を支持するためにシャーシ１８の上部２６を支持するように構成することができる。支持部３６の表面８３は延在部７７の配置により水平方向に延在可能である。即ち、それに従って、支持部３６とシャーシ１８の上部２６との間の接触領域が増加する。他方、支持レール３４の取り付け部３８はシャーシ１８の下部２８を取り付けるように構成することができる。より具体的には、シャーシ１８の下部２８にある少なくとも１つの取り付け要素３２を取り付け部３８の係合通路４４に取り付けることができる。
【００２３】
当業者であれば、本発明の教示を維持しながら多くの変更及び改良が装置及び方法に加えられ得ることに容易に気付く。従って、上記の開示は、添付の請求項の範囲によってのみ限定されると解釈すべきである。
【符号の説明】
【００２４】
１０  ラックシステム
１２  ラック
１４  第１のスライドレールアセンブリ
１６  第２のスライドレールアセンブリ
１８  シャーシ
２０ａ  第１のポスト
２０ｂ  第２のポスト
２２  第１のブラケット
２４  第２のブラケット
２６  上部
２８  下部
３０ａ  第１の側
３０ｂ  第２の側
３２  取り付け要素
３４  支持レール
３６  支持部
３８  取り付け部
４０  入口
４２  閉鎖部分
４４  係合通路
４６  上側遮断壁部
４８  下側遮断壁部
５０  ガイド部
５２  第１のレール
５４  第２のレール
５６  第１の端部
５８  第２の端部
６０  通路
６２  第１の制限機構
６４  第２の制限機構
【図１】
0006283043.tif 000002
【図２】
0006283043.tif 000003
【図３】
0006283043.tif 000004
【図４】
0006283043.tif 000005
【図５】
0006283043.tif 000006